(57)【要約】【課題】検出共振回路あるいは検出回路のスイッチのＯＮ・ＯＦＦを盗難防止具の案内板等で行うことにより、例えばＣＤ・ＤＶＤ等のレンタルショップにおいて、レジにて盗難防止具を取り外した時点で、スイッチがＯＦＦとなり、そのままお客様にお渡しすることができ、作業効率を向上させると共に、出入口に設置されたゲート（送受信アンテナを内蔵した形態のもの）を通過した時、検知しないため、お客様は自由に出入りすることができ、共振タグの検出能力を向上させると共に、アンテナ線の共振タグを重合させる形状により検出能力を変更することができ、目的に応じた使用ができる盗難防止機能具を提供する。【解決手段】ＣＤやＤＶＤ等の光学式記録媒体等を収納した収納ケースにスイッチを設けた検出共振回路を設けると共に、着脱自在な盗難防止具を設け、該盗難防止具の出し入れにて検出共振回路のスイッチをＯＮ・ＯＦＦすることを特徴とする。【選択図】  図１
2004178544.tif 000002
【特許請求の範囲】
【請求項１】
ＣＤやＤＶＤ等の光学式記録媒体等を収納した収納ケースにスイッチを設けた検出共振回路を設けると共に、着脱自在な盗難防止具を設け、該盗難防止具の出し入れにて検出共振回路のスイッチをＯＮ・ＯＦＦすることを特徴とする盗難防止機能具。
【請求項２】
盗難防止具の先端に設けた案内板により検出共振回路のスイッチをＯＮ・ＯＦＦすることを特徴とする請求項１記載の盗難防止機能具。
【請求項３】
検出共振回路が、検出用コイルによる検出回路と、共振用コイルとコンデンサからなる共振回路により構成してなることを特徴とする請求項１又は２記載の盗難防止機能具。
【請求項４】
検出用コイルによる検出回路の１／２以上を収納ケースの外周付近に設けてなることを特徴とする請求項３記載の盗難防止機能具。
【請求項５】
盗難防止具に、共振タグを設けてなることを特徴とする請求項１、２、３又は４記載の盗難防止機能具。
【請求項６】
ＣＤやＤＶＤ等の光学式記録媒体等を収納した収納ケースに検出用コイルによる検出回路を設けると共に、着脱自在な共振タグを付設した盗難防止具を設けてなることを特徴とする盗難防止機能具。
【請求項７】
ＣＤやＤＶＤ等の光学式記録媒体等を収納したケース内に着脱自在に取り付ける盗難防止機能具であって、支持体の少なくとも２側面の外周に沿うと共に、少なくとも一角に内側凸状の共振タグ貼付部を形成してなるコイルのみからなる検出回路を少なくとも１回巻きにして設けてなり、共振タグを上記共振タグ貼付部に着脱自在に貼り付けてなることを特徴とする盗難防止機能具。
【請求項８】
ＣＤやＤＶＤ等の光学式記録媒体等を収納したケース内に着脱自在に取り付ける盗難防止機能具であって、支持体の少なくとも２側面の外周に沿うと共に、少なくとも一辺に内側凸状の共振タグ貼付部を形成してなるコイルのみからなる検出回路を少なくとも１回巻きにして設けてなり、共振タグを上記共振タグ貼付部に着脱自在に貼り付けてなることを特徴とする盗難防止機能具。
【請求項９】
少なくとも１回巻きの検出回路において、端部が電気的に導通しており、少なくとも２回巻き以上の場合、接合部が絶縁されてなることを特徴とする請求項６、７又は８記載の盗難防止機能具。
【請求項１０】
共振タグが、ペーパー状で裏面に検出共振回路を設けると共に、貼着部を設けてなることを特徴とする請求項６、７、８又は９記載の盗難防止機能具。
【請求項１１】
基板に指が入る大きさの孔を設けてなることを特徴とする請求項７、８、９又は１０記載の盗難防止機能具。
【発明の詳細な説明】
【０００１】
【発明の属する技術分野】
本発明は、主にＣＤやＤＶＤ等の光学式記録媒体等を収納する収納ケースに設けた検出共振回路あるいは検出回路を、盗難防止具の案内板等にてＯＮ・ＯＦＦする盗難防止機能具に関するものである。
【０００２】
【従来の技術】
従来の技術としては、送信アンテナを内蔵した一方のゲートと受信アンテナを内蔵した他方のゲート間を、ＣＤ等の記録媒体を収納した収納ケース、又はこの収納ケースを覆う保護ケースに備えた共振回路が通過することによって電波吸収の有無を検知することができる盗難防止システムにおいて、前記収納ケースの記録媒体厚み方向両側のうち少なくとも一側面の外周縁に位置して電波を検出可能な検出回路と、前記収納ケースの一側面と交差する特定の一側面に位置し、且つ、前記検出回路と近接位置する、又は検出回路と接続された前記共振回路とから、盗難防止用タグを構成したことを特徴としているものがある。（特許文献１参照）
【０００３】
【特許文献１】
特開平１１−１２６２８３号公報（請求項１、図３、図４）
【０００４】
【発明が解決しようとする課題】
しかし、上記のような形態では、収納ケース内に共振回路と検出回路を常にＯＮした状態で形成しているため、レジにて収納ケース内のＣＤ等を一旦出して袋等に入れ、お客様に渡しているため、非常に手間であり、そのまま収納ケース（商品入り）を渡す形態のものが望まれていた。
また、収納ケースの一側面と交差する特定の一側面に共振回路を位置してなるもので、共振回路の位置を限定しているため、本発明のような共振タグ（ペーパー状で、裏面に検出回路を設けると共に、貼着部を設けてなるもの）を所要位置に着脱自在に貼り付けて使用することができず、必然的に仕様が限定されるものであり、汎用性がない。
本発明は、上記の問題点に鑑みなされたもので、検出共振回路あるいは検出回路のスイッチのＯＮ・ＯＦＦを盗難防止具の案内板等で行うことにより、例えばＣＤ・ＤＶＤ等のレンタルショップにおいて、レジにて盗難防止具を取り外した時点で、スイッチがＯＦＦとなり、そのままお客様にお渡しすることができ、作業効率を向上させると共に、出入口に設置されたゲート（送受信アンテナを内蔵した形態のもの）を通過した時、検知しないため、お客様は自由に出入りすることができ、共振タグの検出能力を向上させると共に、アンテナ線の共振タグを重合させる形状により検出能力を変更することができ、目的に応じた使用ができる盗難防止機能具を提供することを目的とする。
【０００５】
【課題を解決するための手段】
課題を解決するための手段として、ＣＤやＤＶＤ等の光学式記録媒体等を収納した収納ケースにスイッチを設けた検出共振回路を設けると共に、着脱自在な盗難防止具を設け、該盗難防止具の出し入れ（例えば案内板等）にて検出共振回路のスイッチをＯＮ・ＯＦＦすること。また、検出共振回路が、検出用コイルによる検出回路と、共振用コイルとコンデンサからなる共振回路により構成してなること。さらに、検出用コイルによる検出回路の１／２以上を収納ケースの外周付近に設けてなること。さらにまた、盗難防止具に、共振タグを設けてなること。その上、ＣＤやＤＶＤ等の光学式記録媒体等を収納した収納ケースに検出用コイルによる検出回路を設けると共に、着脱自在な共振タグを付設した盗難防止具を設けてなることを特徴とする。
ＣＤやＤＶＤ等の光学式記録媒体等を収納したケース内に着脱自在に取り付ける盗難防止機能具であって、支持体の少なくとも２側面の外周に沿うと共に、少なくとも一角に内側凸状の共振タグ貼付部を形成してなるコイルのみからなる検出回路を少なくとも１回巻きにして設けてなり、共振タグを上記共振タグ貼付部に着脱自在に貼り付けてなること。ＣＤやＤＶＤ等の光学式記録媒体等を収納したケース内に着脱自在に取り付ける盗難防止機能具であって、支持体の少なくとも２側面の外周に沿うと共に、少なくとも一辺に内側凸状の共振タグ貼付部を形成してなるコイルのみからなる検出回路を少なくとも１回巻きにして設けてなり、共振タグを上記共振タグ貼付部に着脱自在に貼り付けてなること。また、少なくとも１回巻きの検出回路において、端部が電気的に導通しており、少なくとも２回巻き以上の場合、接合部が絶縁されてなること。さらに、共振タグが、ペーパー状で裏面に検出共振回路を設けると共に、貼着部を設けてなること。その上、基板に指が入る大きさの孔を設けてなることを特徴とする
【０００６】
【発明の実施の形態】
盗難防止機能具１は、主にＣＤやＤＶＤ等の光学式記録媒体等を収納する収納ケース２に、スイッチ３を設けた検出用コイルによる検出回路４と、共振用コイル５ａとコンデンサ５ｂとからなる共振回路５を設けてなる検出共振回路６を形成すると共に、着脱自在な盗難防止具７を設け、該盗難防止具７の先端に設けた案内板８ｃにて上記検出共振回路６のスイッチ３をＯＮ・ＯＦＦしてなるものである。
【０００７】
上記収納ケース２は、下部に空間部２ａを、上部にＣＤやＤＶＤ等を収納する収納部２ｂを設けると共に、空間部２ａの上板２ａ１と下板２ａ２に板バネの先端部を係止する係止孔２ａ１１・２ａ２１を設けてなる。
【０００８】
上記検出回路４は、上記収納ケース２の収納部２ｂの外周内側にループ状に１回巻きしてなる（収納ケース２内に一体形成するか、内面に接着する等）と共に、下部にスイッチ３を設けてある。
【０００９】
上記共振回路５は、上記検出回路４の上部に設けてなるもので、共振コイル５ａの巻き数及びコンデンサ５ｂの容量を各々変更し、組み合せすることにより共振周波数を変更できるものとする。
【００１０】
上記盗難防止具７は、上記収納ケース２の下部の空間部２ａ内に設けてなるもので、空間部２ａに出し入れ自在な箱形のケース本体８ａの上面及び下面に孔８ａ１、８ａ２を設けると共に、背面に板バネ８ｄを取り付けるための板バネ取付部８ｂ１を設けてなり、先端部に案内板８ｃを突設してなるロック部ケース本体８と、ロック部ケース本体８内に設ける、水平方向にスライドする後端部に圧縮スプリング９ａを受ける受部９ｂを、該受部９ｂの側方に上記板バネ取付部８ｂ１を突出させる切欠孔９ｂ１を、中央部付近の上部及び下部に、上記板バネ８ｄを内側に移動させるための突片９ｃ・９ｃを、先端部に磁石により引っ張られる鉄部９ｄを、それぞれ設けてなる平板状のスライド板９と、上記ロック部ケース本体８の上面に突設した共振タグ（図示せず）等を取り付ける平板による取付部７ａを設けてなる構成である。
なお、取付部７ａは必要に応じて設ければよい。
【００１１】
上記盗難防止機能具１について、下記に使用例を説明する。
通常、盗難防止機能具１は店内に陳列されている時は、収納ケース２内に盗難防止具７を収納し、万一盗まれても出入口のゲート（図示せず）で検出共振回路６（共振タグ）が反応し、盗難をチェックできると共に、容易に盗難防止具７を取り外すことができず、セキュリティ効果が高い。
【００１２】
つまり、盗難防止具７の案内板８ｃにより共振回路５のスイッチ３を常時ＯＮしており、検出共振回路６が作動する状態になっている。
【００１３】
つぎに、検出共振回路６を解除する場合を説明する。
お客様が購入された商品（盗難防止機能付ケース１）をレジにて、特殊磁石Ｇ（一般に市販されていない、例えば１５０００ガウス以上のもの）を、収納ケース２の空間部２ａの右側に位置させることにより、鉄部９ｄが特殊磁石Ｇに引っ張られ、スライド板９が右側に移動し、圧縮スプリング９ａが圧縮されると同時に突片９ｃ・９ｃが板バネ８ｄを内側に移動させることにより、板バネ８ｄの先端部が係止孔２ａ１１・２ａ２１より外れ、盗難防止具７を収納ケース２より取り外すことができ、この状態でお客様にお渡しするものである。
【００１４】
この時、盗難防止具７の案内板８ｃは共振回路５のスイッチ３より離れ、ＯＦＦになる。
つまり、持ち出しＯＫの状態となる。
このように、盗難防止機能具１は、盗難防止具７を取り外すことにより、自動的に検出共振回路６を解除できるものである。
【００１５】
なお、取付部７ａ（必要に応じて設けるもの）には必ずしも共振タグ（通称：ペーパータグ）を貼り付けることなく使用できるが、よりセキュリティ効果を高める場合、例えば共振タグを８．２ＭＨｚとし、検出共振回路を１０．５ＭＨｚとした場合、同一店舗内にゲートを２種類設けることによりダブルチェックできるものである。
【００１６】
つぎに、他の実施例として、盗難防止機能具２１は、盗難防止具２７の取付部２７ａに共振タグＴ（ペーパー状で表面にバーコード等を印刷してあるもの）を貼り付けると共に、検出用コイルによる検出回路２４を収納部２２ｂの外周内側にループ状に１回巻きしてなるものである。
なお、必要に応じて１回巻きではなく、２回・３回巻きでもよい。
【００１７】
この盗難防止機能具２１は、検出回路２４の増幅機能（アンテナ機能）により、共振タグＴの感知能力をアップさせることができるもので、セキュリティ効果を向上させてなるものである。
なお、盗難防止具２７を取り外す場合は前記と同様に特殊磁石により行うもので、盗難防止具２７を取り外すことで共振タグＴは収納ケース内から無くなり、収納ケース内には検出回路２４が残るが、ゲートを通っても反応しない。
【００１８】
ＣＤやＤＶＤ等の光学式記録媒体等を収納した収納ケースＫＳ内に着脱自在に取り付ける盗難防止機能具３１は、フィルム状で方形状の中央付近に指が入る大きさの孔３２ａを設けた支持体３２の４側面の外周に沿わせると共に、右の角Ｋ
2004178544.tif 000003
出回路３３を設けてなり、共振タグＴ（ペーパー状で、表面にバーコードを表示すると共に、裏面に渦巻き状の共振回路Ｔ１及び貼着部を設けてある）の２側部Ｔａ・Ｔｂを共振タグ貼付部３３ａに重合して貼り付けてなるものである。（図４参照）
【００１９】
盗難防止機能具３１の使用例としては、ケースＫＳ内に入れ、その後に商品（図示せず）を中に入れ、店内に陳列する。（図５参照）
その後、お客様がレジにて購入する時、商品を取り出し、お客様に渡し、ケースＫＳと盗難防止機能具３１は店内にて再利用するものである。
なお、盗難防止機能具３１を必要に応じて差し替えればよく、その場合、孔３２ａに指（図示せず）を入れ盗難防止機能具３１を取り出すことができるものである。
【００２０】
盗難防止機能具４１は、支持体４２の４側面の外周に沿わせると共に、底辺中央に下向きコの字形の内側凸状の共振タグ貼付部４３ａを形成してなる検出回路４３を設けてなるもので、共振タグＴ１の３側面Ｔ１ａ・Ｔ１ｂ・Ｔ１ｃを共振タグ貼付部４３ａに重合して貼り付けてなるものである。（図６参照）
【００２１】
盗難防止機能具５１は、支持体５２の４側面の外周に沿わせると共に、左の角Ｋ１にロの字形の内側凸状の共振タグ貼付部５３ａを形成してなる検出回路５３を設けてなるもので、共振タグＴ２の４側面Ｔ２ａ・Ｔ２ｂ・Ｔ２ｃ・Ｔ２ｄを共振タグ貼付部５３ａに重合して貼り付けてなるものである。（図７参照）
なお、接合部５３ｂは絶縁されてなるものである。
【００２２】
つづいて、上記盗難防止機能具３１、盗難防止機能具４１、盗難防止機能具５１の測定値について下記に説明する。
まず、測定方法について説明する。
ゲートＧ（電波方式・周波数帯８．２ＭＨｚ）を１５００ｍｍの幅Ｗで立設し、その中央に各共振タグ用増幅回路を置き、オシロスコープにて波形の変化を測定した。（図８参照）
【００２３】
【表１】
2004178544.tif 000004
【００２４】
上記表１は、共振タグのみを測定したものである。
【００２５】
【表２】
2004178544.tif 000005
【００２６】
上記表２は、盗難防止機能具３１を測定したもので、共振タグのみの波形と比較し、約１．５倍になり、約１．５倍の感度アップが確認できた。
【００２７】
【表３】
2004178544.tif 000006
【００２８】
上記表３は、盗難防止機能具４１を測定したもので、共振タグのみの波形と比較して、約２．２倍になり、約２．２倍の感度アップが確認できた。
【００２９】
【表４】
2004178544.tif 000007
【００３０】
上記表４は、盗難防止機能具５１を測定したもので、共振タグのみの波形と比較して、約３倍になり、約３倍の感度アップが確認できた。
【００３１】
以上のように、感度アップが実験にて実証されたが、基本的に１回巻きのデータであり、２・３回巻きにすることにより、より感度アップさせることは可能である。
また、共振タグ（通称：ペーパータグ）の周波数帯は、８．２ＭＨｚに限定するものでなく、他の周波数帯でもよい。
【００３２】
上記実施例において、盗難防止具の形態は、特に限定するものではなく、同様な機能を有するものであれば他の形態でもよい。
また、スイッチの形態も、特に限定することなく、一般に使用されているものでよい。
さらに、収納ケースに入れる商材は、ＣＤやＤＶＤのみならず、他の商品に応用できるものである。
さらにまた、スイッチのＯＮ・ＯＦＦは案内板以外にも、ケース本体で行うのも一考である。
【００３３】
【発明の効果】
１）、検出共振回路のスイッチのＯＮ・ＯＦＦを盗難防止具の出し入れにより、簡単に制御できるもので、いちいち収納ケースより商品（ＣＤ等）を取り出すことなく使用できるためレジ等での作業効率を向上させてなる。
２）、案内板等にて検出共振回路のスイッチをＯＮ・ＯＦＦするため、形状がシンプルになり、故障が少ない。
３）、検出共振回路を収納ケースの外周内側に設けることにより、感度を上げることができる。
４）、検出共振回路と共振タグの組み合せにより、２つの周波数帯を設定でき、より高いセキュリティ効果を提供できる。
５）、検出回路と共振タグの組み合せにより、共振タグの感知能力（感度）を上げることができる。
６）、検出回路に共振タグを着脱自在に取り付けられるため、目的に応じた共振タグを付けかえることができ、使用範囲が広がる。
７）、検出回路の一部をＬ字形にし、共振タグを重合させることにより、約１．５倍の感度アップとなった。
８）、検出回路の一部をコの字形にし、共振タグを重合させることにより、約２．２倍の感度アップとなった。
９）、検出回路の一部をロの字形にし、共振タグを重合させることにより、約３倍の感度アップとなった。
１０）、基板に孔を設けることにより取り付け、取り外しが容易となる。
【図面の簡単な説明】
【図１】本発明の第１実施例を示す盗難防止機能具の陳列時の状態の一部縦断正面図。
【図２】本発明の第１実施例を示す盗難防止機能具の盗難防止具を解除した状態の一部縦断正面図。
【図３】本発明の第２実施例を示す盗難防止機能具の陳列時の状態の一部縦断正面図。
【図４】本発明の第３実施例を示す盗難防止機能具の正面図。
【図５】本発明の第３実施例を示す盗難防止機能具の使用状態の正面図。
【図６】本発明の第４実施例を示す盗難防止機能具の正面図。
【図７】本発明の第５実施例を示す盗難防止機能具の正面図。
【図８】本発明の第３、第４、第５実施例の盗難防止機能具の測定装置の正面図。
【符号の説明】
１−−−盗難防止機能具
２−−−収納ケース
３−−−スイッチ
４−−−検出回路
５−−−共振回路
６−−−検出共振回路
７−−−盗難防止具
８−−−ロック部ケース本体
９−−−スライド板
【図１】
2004178544.tif 000008
【図２】
2004178544.tif 000009
【図３】
2004178544.tif 000010
【図４】
2004178544.tif 000011
【図５】
2004178544.tif 000012
【図６】
2004178544.tif 000013
【図７】
2004178544.tif 000014
【図８】
2004178544.tif 000015